(57)【要約】【課題】クリップがパネルの取付孔に係合した状態から、係合解除して取り外す際に係止腕部の過剰な変形を規制することにより再使用可能に回収できるようにする。【解決手段】頭部１０、及び首部１２、一対の係止腕部１３を有し、首部１２及び係止腕部１３をパネル２の取付孔２ａに挿入して取付孔に対する係止腕部の弾性変位を伴った係合によりパネルに止着されるクリップ１において、頭部１０に下設されて、取付孔２ａに挿入されると共に、取付孔２ａに対するクリップ１の引き抜き時などにおいて係止腕部１３の先端が内側から当接して拡径方向への過剰な変形を阻止可能な規制壁部１７を有している。【選択図】図５
2014009743.tif 000002
【特許請求の範囲】
【請求項１】
頭部、及び前記頭部に下設された首部、並びに前記首部の先端側より前記頭部の方向へ延設された一対の係止腕部を有し、前記首部及び前記係止腕部をパネルの取付孔に挿入して前記取付孔に対する前記係止腕部の弾性変位を伴った係合により前記パネルに止着されるクリップにおいて、
前記頭部に下設されて、前記取付孔に挿入されると共に、前記取付孔に対する前記係止腕部の係合状態から前記クリップの引き抜き時において前記係止腕部の先端が内側から当接して拡径方向へ過剰に変形しないよう阻止可能な規制壁部を有していることを特徴とするクリップ。
【請求項２】
前記規制壁部は、前記首部と共に前記取付孔に挿入された状態で、前記取付孔の内周に接近配置されることを特徴とする請求項１に記載のクリップ。
【請求項３】
前記規制壁部は、前記係止腕部の先端と所定大の間隔を保っており、前記係止腕部が前記取付孔に挿入される過程で前記間隔を最大となるよう変形し、かつ、前記取付孔から引き抜かれる過程で前記間隔を吸収するよう変形することを特徴とする請求項１又は２に記載のクリップ。
【請求項４】
前記係止腕部の先端は、略く字形に形成されていると共に、く字形の先端に立設されて前記規制壁部の内側に配置される起立部を有していることを特徴とする請求項１から３の何れかに記載のクリップ。
【発明の詳細な説明】
【技術分野】
【０００１】
本発明は、パネルに設けられた取付孔に装着される物品取付ないしは支持用として好適なクリップに関する。
【背景技術】
【０００２】
対象のクリップは、図６（ａ）や（ｂ）に例示されるごとく、第一部材１２又はＢを第二部材１４又はＡに取り付けるときに用いられる。このうち、同（ａ）のクリップ（ファスナー）２０は、特許文献１に開示されたもので、頭部（座部）２２、及び頭部２２に下設された首部２８、並びに首部２８の先端側より頭部２２の方向へ延設された錨形の係止腕部２６を有している。また、頭部（座部）２２は、基端側に設けられた不図示の膨出ガイド部及びガイドリブ３４を有し、第一部材としてモール１２の長孔１６に取り付けられる。この場合、クリップ２０は、係止腕部２６の突出方向と長孔１６の長径方向とを合わせて、長孔１６にアンカー部である首部２８及び係止腕部２６を挿入した後、首部２８及び係止腕部２６の長孔からの突出部分を利用して９０度回動させることで、モール１２に取り付けられる。このモール１２は、首部２８及び係止腕部２６が第二部材１４に設けられた取付孔（丸孔）１８に挿入されて該取付孔に対する係止腕部２６の弾性変位を伴った係合によりパネル１４に止着される。
【０００３】
同（ｂ）のクリップは、特許文献２に開示されたもので、頭部１、及び頭部１に下設された係止脚２を有している。また、頭部１は、ボードＡに止着するための２段の鍔１ａ，１ｂからなり、同図のごとくボードＢの取付部Ｃに設けられた係止穴ｂの大径穴から小径穴に移すことで取り付けられる。係止脚２は、頭部１に下設されて断面が十字形つまり４つの突片４からなる軸芯部２ａと、突片同士の間に配置されて上下端を頭部１の下面と軸芯部２の下端側とに一体化されている４つの弾性係止片２ｂとからなる。そして、ボードＢは、係止脚２がパネルＡの取付孔（透孔）ａに挿入されて該取付孔に対する各係止片２ｂの弾性変位を伴った係合によりパネルＡに止着される。
【先行技術文献】
【特許文献】
【０００４】
【特許文献１】実開平５−９６５２４号公報
【特許文献２】特許第３４５０３４２号公報
【発明の概要】
【発明が解決しようとする課題】
【０００５】
上記クリップにおいて、パネルの取付孔に係合する脚構造としては、特許文献２にも言及されているように、永久的固着を前提としたものは抜き取り不能なものとして図６（ａ）に例示される錨形の係止腕部のような形態となる。これに対し、部品交換等を行うことを前提としたものは引き抜き可能にするため、図６（ｂ）に例示される取付孔に弾性係止片の膨出部を圧接、つまり摩擦力で係止させる形態となる。
【０００６】
ところが、後者の脚構造では、取付孔に対する係止片の抜去力ないしは設計上の必要な係合力を満足させると、取付孔に対する挿入力及び引き抜き力も大きくなって、例えば、部品交換やメンテナンスなどでクリップをパネルから外したいときに容易に係合解除できず時間と手間に煩わされることになる。一方、前者の脚構造では、取付孔に対する錨形の係止腕部の抜去力ないしは設計上の必要な係合力を満足させても、取付孔に対する挿入力を比較的小さく維持可能であるが、クリップをパネルから外すため工具などで上方へ強制的に吊り上げるようにすると、各係止腕部が座屈状ないしは下向きに反転して再利用不能に折れ曲がったり破損することになる。
【０００７】
本発明の目的は、以上の背景から工夫されたもので、クリップの脚構造として、錨形の係止腕部を採用して、その利点つまり取付孔に対する挿入力を比較的小さく抑え、同時に、再利用不能に折れ曲がったり破損することなくクリップをパネルから外すことができるようにすることにある。他の目的は以下の内容説明のなかで明らかにする。
【課題を解決するための手段】
【０００８】
上記目的を達成するため本発明は、頭部、及び前記頭部に下設された首部、並びに前記首部の先端側より前記頭部の方向へ延設された一対の係止腕部を有し、前記首部及び前記係止腕部をパネルの取付孔に挿入して前記取付孔に対する前記係止腕部の弾性変位を伴った係合により前記パネルに止着されるクリップにおいて、前記頭部に下設されて、前記取付孔に挿入されると共に、前記取付孔に対する前記係止腕部の係合状態から前記クリップの引き抜き時において前記係止腕部の先端が内側から当接して拡径方向へ過剰に変形しないよう阻止可能な規制壁部を有していることを特徴としている。
【０００９】
以上の本発明は、請求項２〜４で特定したように具体化されることがより好ましい。
（ア）、前記規制壁部は、前記首部と共に前記取付孔に挿入された状態で、前記取付孔の内周に接近配置される構成である（請求項２）。
（イ）、前記規制壁部は、前記係止腕部の先端と所定の間隔を保っており、前記係止腕部が前記取付孔に挿入される過程で前記間隔を最大となるよう変形し、かつ、前記取付孔から引き抜かれる過程で前記間隔を吸収するよう変形する構成である（請求項３）。
（ウ）、前記係止腕部の先端は、略く字形に形成されていると共に、く字形の先端に立設されて前記規制壁部の内側に配置される起立部を有している構成である（請求項４）。
【発明の効果】
【００１０】
請求項１の発明では、パネルに取り付けるときは、首部及び係止腕部をパネルの取付孔に挿入すると、係止腕部が取付孔内周に当たって縮径方向に弾性変形しつつ取付孔を通過し、それと同時に元の形状に復元して取付孔の孔縁に係合してパネルに止着される。このクリップは、パネルへの取付操作自体は従来と同じであるが、以下のような利点を有している。
（１）このクリップでは、パネルに止着した取付状態から図５のごとく取付孔に対し引き抜き方向に引っ張ると、係止腕部が取付孔の孔縁から下向きの反力を受けて拡径方向へ変位しようとするが、係止腕部の先端が規制壁部に当たってその変位を抑え、それにより従来のごとく強制的に折れ曲がったり反転したり破損するという虞を解消できる。すなわち、このクリップは、図５（ｂ）の状態で取付孔から引き抜かれ、引き抜きと同時に元の形状に復元されるため常に再使用可能となる。
（２）このクリップでは、パネルに止着した取付状態において、図４（ｂ）のごとく取付孔に対し首部の対向側面、及び係止腕部の上側（屈曲部）が孔対応部に当接可能になることに加え、規制壁部が孔内に挿入されるため、従来品に比べて衝撃や振動を受けても動き難くなり安定した状態に保持される。
（３）また、規制壁部が係止腕部の先端の外側に配置されて少なくともパネル表面側から係止腕部を操作不能に保護できる。
【００１１】
請求項２の発明では、クリップがパネルに止着された状態において、規制壁部が図４（ｂ）のごとく取付孔の内周に接近しているため上記（２）の安定保持性をより向上できる。
【００１２】
請求項３の発明では、規制壁部が係止腕部の先端と所定の間隔を保っているため、図５のごとくクリップの引き抜き過程で係止腕部の過剰な拡径を効率よく阻止可能にする。
【００１３】
請求項４の発明では、前記係止腕部の先端は、く字形の先端に立設されることにより規制壁部との位置関係を確保し易くなり、それによって上記（１）〜（３）の作用効果をより確実に得られる。
【図面の簡単な説明】
【００１４】
【図１】発明形態のクリップをパネルの取付孔に挿入する際の要領を想定して示した概略斜視図である。
【図２】（ａ）と（ｂ）は上記クリップの正面図と下面図である。
【図３】（ａ）と（ｂ）は上記クリップの側面図とＡ−Ａ線断面図である。
【図４】（ａ）は上記クリップをパネルの取付孔に止着する途中の状態を示す断面図、（ｂ）は止着状態を示す断面図である。
【図５】（ａ）と（ｂ）は上記クリップをパネルの取付孔から引き抜く途中の状態を示す断面図である。
【図６】（ａ）及び（ｂ）は特許文献１と２の構造を示す説明図である。
【発明を実施するための形態】
【００１５】
以下、本発明の形態例について添付図面を参照しながら説明する。この説明では、クリップの構造を明らかにした後、パネルに対する取り付け取り外し作動を詳述する。
【００１６】
（構造）形態のクリップ１は、樹脂の射出成形品であり、図１及び図４に示されるごとく頭部１０と、頭部１０に下設された首部１２及び規制壁部１７と、首部１２の先端側より頭部１０の方向へ延設された一対の係止腕部１３とを有し、首部１２及び係止腕部１３を車体などのパネル２に設けられた取付孔２ａに挿入して、取付孔２ａに対する係止腕部１３の弾性変位を伴った係合によりパネル２に止着される構成である。
【００１７】
ここで、頭部１０は、パネル２に対し取り付けようとする被取付部材３に止着する箇所である。被取付部材３としては、例えば車両用であれば、カーペットやトリム材あるいは各種のボードである。頭部２の構造は、特許文献２と同じタイプであり、パネル２に圧接する傘状のフランジ部１１上に設けられて、フランジ部１１の中央部に連結部１４ａを介して突出された下側の鍔部１４と、該鍔部１４の中央部に立設された支柱１５と、支柱１５の上端に設けられた上側の鍔部１６とで構成されている。支柱１５ないしは鍔部１４,１６同士の間隔は、被取付部材３の厚さに対応しており、被取付部材３を上下から挟持可能な寸法である。そして、クリップ１は、図４から推察されるごとく被取付部材３に設けられた係止孔４を構成している不図示の大径孔から小径孔４ａに移すことにより被取付部材３に止着される。
【００１８】
首部１２及び規制壁部１７は、頭部１０の下面にそれぞれ垂直に下設されている。このうち、首部１２は頭部１０の下面中央に長い板状に突出されている。この板幅は、基端（頭部）側が最大の幅寸法つまりパネル側の丸孔である取付孔２ａの孔径より若干小さく設定され、下に行くほど幅細くなっている。規制壁部１７は、２つであり、頭部１０の下面にあって、首部１２の両側つまり首部１２の板面と対向するようにして、首部１２よりかなり短い板状に突出されている。このため、首部１２と各規制壁部１７との間には、所定の隙間が確保されており、その各隙間に後述する係止腕部１３の先端１３ａが配置されている。各規制壁部１７の突出端は、首部１２側から外側へ行くに従って次第に長くなる傾斜面１７ａに形成されている。
【００１９】
各係止腕部１３は、首部１２を挟んで対向している錨形であり、基端が首部１２の先端側に一体化され、先端１３ｂが対応する規制壁部１７と首部１２との間の隙間内に突出配置されている。換言すると、各係止腕部１３は、首部１２に接合された基端から斜め上向（首部１２から離れる方向）に突出されると共に、突出途中から略く字状に折り曲げられた屈曲部１３ｂと、屈曲部１３ｂの先端を更に垂直に折り曲げられた先端１３ａとを有している。屈曲部１３ｂは、首部１２から最も離れた、ないしは拡径された箇所であり、図４に示されるごとく係止腕部１３をパネル側取付孔２ａに挿入する過程での取付孔２ａの孔内面に圧接することにより係止腕部１３を縮径方向に変形可能にする。
【００２０】
先端１３ａは、規制壁部１７と首部１２との間の隙間に突出されており、図４に示されるごとく係止腕部１３が取付孔２ａの孔内面に圧接されて縮径されると首部１２側に接近し当接される。詳述すると、各係止脚部１３の先端側は、略く字形に形成されていると共に、く字形の先端１３ａが規制壁部１７の内側に配置される起立部として形成されている。また、先端１３ａは、図５に示されるごとくクリップ１がパネル２に係合された状態からパネル２から離れる方向、つまり引き抜き方向に引っ張られると、屈曲部１３ｂが取付孔２ａの孔縁から受ける下向き応力により拡径方向に少し変形すると、対応する規制板部１７側に接近し当接される。
【００２１】
（作動）次に、以上のクリップ１の作動特徴及びその利点について明らかにする。
（１）クリップ１をパネル２に取り付ける場合は、図４（ａ）に示されるごとく首部１２の先端をパネル側取付孔２ａに挿入し押し込め操作する。すると、クリップ１は、錨形の係止腕部１３が取付孔２ａの孔縁に当たるまで落ち込むよう挿入され、その後、各係止腕部１３が同（ａ）のごとく取付孔２ａから受ける応力により縮径方向に弾性変形しつつ取付孔２ａを通過する。その際、クリップ１は、同（ｂ）のごとくフランジ部１１がパネル２に当たって挿入を規制し、かつ、各係止腕部１３が取付孔２ａを通過すると同時に元の形状ないしは元に近い形状に復元して取付孔２ａの孔縁に屈曲部１３ｂを係合してパネル２に止着される。
【００２２】
（２）このクリップ１では、パネル２に止着した取付状態において、図４（ｂ）のごとくパネル側取付孔２ａに対し首部１２のうち幅広となっている上側の対向側面（紙面の前後の端面）、及び各係止腕部１３の上側屈曲部１３ｂが孔対応部に当接している。それに加え、この構造では、２つの規制壁部１７が取付孔２ａの孔内に挿入されるため、また取付孔２ａの内周に接近しているため特許文献１の錨形に比べて、大きな衝撃や振動を受けても動き難くなり、安定した状態を維持でき、それにより使用状態におけるパネル２に対する安定保持性を向上できる。
【００２３】
（３）このクリップ１では、図４（ｂ）の取付ないしは使用状態において、パネル側取付孔２ａの内側で、各規制壁部１７が対応する係止腕部１３の先端１３ａの外側に配置されている。このため、この構造では、少なくともパネル表面側から、フランジ部１１の下から係止腕部１３の先端１３ａを押し操作しようとしても、手前の規制壁部１７が邪魔して操作不能となり、それによって錨形の係止腕部１３の止着状態を保護できる。
【００２４】
（４）このクリップ１では、図５の矢印のごとく頭部１０を利用してパネル側取付孔２ａに対し引き抜き方向に引っ張ると、錨形の係止腕部１３が取付孔２ａの孔縁から下向きの反力を受けて拡径方向へ変位しようとする。その際、この構造では、各係止腕部１３の先端１３ａが対応する規制壁部１７の内面に当たってその変位を抑え、その結果、従来のごとく強制的に折れ曲がったり反転したり破損するという虞を解消できる。
【００２５】
換言すると、この構造では、クリップ１の引き抜き過程において、各係止腕部１３が図５（ｂ）の状態つまり先端１３ａを対応する規制壁部１７の内面に当接して拡径方向への過剰な変形を阻止されつつ取付孔２ａから引き抜かれる。この作動は、規制壁部１７が形態例のごとく係止腕部１３の先端１３ａと所定の間隔を保っているため係止腕部１３の過剰の変形を確実かつ効率よく阻止可能となる。勿論、各係止腕部１３は取付孔２ａから引き抜かれると同時に、元の形状に復元される。このため、この構造ではクリップ１が常に再使用可能となる。
【００２６】
なお、本発明のクリップは、請求項で特定される構成を備えておればよく、細部は形態例を参考にして変更可能なものである。その一例として、頭部自体の構造は特許文献１などを参考にして変形したり被取付部材に応じて変更することである。
【符号の説明】
【００２７】
１・・・クリップ（１０は頭部、１２は首部、１１はフランジ部）
２・・・パネル（２ａは取付孔）
３・・・被取付部材（４は係止孔、４ａは小径孔）
１３・・・係止腕部（１３ａは先端、１３ｂは屈曲部）
１７・・・規制壁部（１７ａは傾斜面）
【図１】
2014009743.tif 000003
【図２】
2014009743.tif 000004
【図３】
2014009743.tif 000005
【図４】
2014009743.tif 000006
【図５】
2014009743.tif 000007
【図６】
2014009743.tif 000008